(57)【要約】本発明は、所定の書き込みパワーを使用し、媒体へデータを書き込むためのデータ書き込み速度の決定する段階に関する（１１２、４０、５０）。前記段階は：第１のデータ書き込み速度を使用しテストデータ列を前記媒体に書き込む段階（段階２０４）、前記書き込まれたテストデータ列を前記媒体から読み出す段階（段階２０６）、前記書き込まれたテストデータ列に対し書き込まれたデータの誤り指標を決定する段階（段階２１０）、及び前記書き込まれたデータの誤り指標が書き込まれたデータの誤り閾値より高い場合、より低い第２のデータ書き込み速度を選択する段階（段階２１２、２１６）、を有する。本発明はまた、データ書き込み速度を使用し、媒体にデータを書き込む段階に関する。前記段階は、前記第１のデータ書き込み速度を使用し前記媒体（５０）の第１の部分（５６）にデータを書き込む段階（段階３１２）、及び前記第２のデータ書き込み速度を使用して前記媒体（５０）の第２の部分（５４）にデータを書き込む段階（段階３１４）、を有するデータ書き込み方法。
2008518372.tif 000002
【特許請求の範囲】
【請求項１】
方法であって、所定の書き込みパワーを使用し、媒体へデータを書き込むためのデータ書き込み速度を決定し、前記方法は：
−第１のデータ書き込み速度を使用しテストデータ列を前記媒体に書き込む段階、
−前記書き込まれたテストデータ列を前記媒体から読み出す段階、
−前記書き込まれたテストデータ列に対し書き込まれたデータの誤り指標を決定する段階、及び
−前記書き込まれたデータの誤り指標に従いデータ書き込み速度を選択する段階、を有し、
従ってデータ書き込み速度は最適化される、データ書き込み速度決定方法。
【請求項２】
前記データ書き込み速度を選択する段階は、前記書き込まれたデータの誤り指標が書き込まれたデータの誤り閾値より高い場合、より低い第２のデータ書き込み速度を選択する段階を有する、請求項１記載の方法。
【請求項３】
前記データ書き込み速度を選択する段階は、前記書き込まれたデータの誤り指標が書き込まれたデータの誤り閾値より低い又は等しい場合、第１のデータ書き込み速度を維持する段階を有する、請求項１記載の方法。
【請求項４】
前記書き込まれたデータの誤り指標を決定する段階は、読み出されたテストデータ列を前記書き込まれたテストデータ列と比較する段階を有する、請求項１記載の方法。
【請求項５】
前記書き込まれたデータの誤り指標はブロック誤りレートである、請求項１記載の方法。
【請求項６】
前記書き込まれたデータの誤り指標はビット誤りレートである、請求項１記載の方法。
【請求項７】
方法であって、請求項１に従い決定されたデータ書き込み速度を使用し、媒体にデータを書き込み、前記第１の書き込み速度を使用してデータを書き込む段階、を有するデータ書き込み方法。
【請求項８】
方法であって、請求項２に従い決定されたデータ書き込み速度を使用し、媒体にデータを書き込み、前記第１のデータ書き込み速度を使用し前記媒体の第１の部分にデータを書き込む段階、及び前記第２のデータ書き込み速度を使用して前記媒体の第２の部分にデータを書き込む段階、を有するデータ書き込み方法。
【請求項９】
前記第１のデータ書き込み速度は一定角速度であり、及び前記第２のデータ書き込み速度に関連する速度は一定線速度である、請求項２記載の媒体へのデータ書き込み方法。
【請求項１０】
前記第１のデータ書き込み速度を使用する場合の前記媒体の前記第１の部分の外側における書き込み位置の線速度は、前記第２のデータ書き込み速度に関連する速度を使用する場合の前記媒体の前記第２の部分の少なくとも１つの書き込み位置の線速度と等しい、請求項７記載の媒体へのデータ書き込み方法。
【請求項１１】
データ書き込み速度決定部であり、所定の書き込みパワーを使用し、媒体へデータを書き込むためのデータ書き込み速度を決定し、前記データ書き込み速度決定部は：
−前記媒体にテストデータ列を書き込むよう配置されたデータ書き込み部、
−前記書き込まれたテストデータ列を前記媒体から読み出すよう配置されたデータ読み出し部、
−書き込まれたデータの誤り指標を決定するよう配置された書き込まれたデータの誤り指標決定部、
−前記書き込まれたデータの誤り指標に従いデータ書き込み速度を選択するよう配置された書き込み速度選択部、
−前記データ書き込み部と前記データ読み出し部と前記書き込まれたデータの誤り指標決定部と前記書き込み速度選択部と接続された制御部、を有し、前記制御部は、テストデータ列を前記データ書き込み部に提供し、及び前記テストデータ列を前記媒体に第１のデータ書き込み速度を使用し書き込む段階と、前記書き込まれたテストデータ列を前記媒体から読み出す段階と、前記書き込まれたテストデータ列の書き込まれたデータの誤り指標を決定する段階と、前記書き込まれたデータの誤り指標に従いデータ書き込み速度を選択する段階とを制御するよう配置され、
従って前記データ書き込み速度が最適化される、データ書き込み速度決定部。
【請求項１２】
前記書き込み速度選択部は、前記書き込まれたデータの誤り指標が書き込まれたデータの誤り閾値より高い場合、より低い第２のデータ書き込み速度を選択するよう更に配置される、請求項１１記載の書き込み速度決定部。
【請求項１３】
前記書き込み速度選択部は、前記書き込まれたデータの誤り指標が書き込まれたデータの誤り閾値より低い又は等しい場合、第１のデータ書き込み速度を維持するよう更に配置される、請求項１１記載の書き込み速度決定部。
【請求項１４】
前記書き込まれたデータの誤り指標決定部は、読み出されたテストデータ列と前記書き込まれたテストデータ列を比較するよう更に配置される、請求項１１記載の書き込み速度決定部。
【請求項１５】
データ書き込み装置であって、所定の書き込みパワーを使用し、媒体へデータを書き込むためのデータ書き込み速度を決定するデータ書き込み速度決定部を有し、前記データ書き込み装置は：
−前記媒体にテストデータ列を書き込むよう配置されたデータ書き込み部、
−前記書き込まれたテストデータ列を前記媒体から読み出すよう配置されたデータ読み出し部、
−書き込まれたデータの誤り指標を決定するよう配置された書き込まれたデータの誤り指標決定部、
−前記書き込まれたデータの誤り指標に従いデータ書き込み速度を選択するよう配置された書き込み速度選択部、
−前記データ書き込み部と前記データ読み出し部と前記書き込まれたデータの誤り指標決定部と前記書き込み速度選択部と接続された制御部、を有し、前記制御部は、テストデータ列を前記データ書き込み部に提供し、及び前記テストデータ列を前記媒体に第１のデータ書き込み速度を使用し書き込む段階と、前記書き込まれたテストデータ列を前記媒体から読み出す段階と、前記書き込まれたテストデータ列に対し書き込まれたデータの誤り指標を決定する段階と、前記書き込まれたデータの誤り指標に従いデータ書き込み速度を選択する段階とを制御するよう配置され、
前記データ書き込み装置は：
−データを供給するデータ供給部、
−前記データ媒体を保持し前記データ媒体へのデータ書き込みを可能にするように配置されたデータ媒体駆動部、を有し、
従って前記データ書き込み速度が最適化される、データ書き込み装置。
【請求項１６】
前記データ書き込み部は、データを前記データ媒体に書き込むよう配置される、請求項１５記載のデータ書き込み装置。
【請求項１７】
コンピュータープログラムであって、コンピュータープログラムコード手段を有するコンピューター可読媒体を有し、前記コンピュータープログラムコード手段がデータ書き込み装置又はコンピューターに読み込まれた場合、前記データ書き込み装置又は前記コンピューターに：
−所定の書き込みパワー及び第１のデータ書き込み速度を使用し、データ媒体へテストデータ列を書き込む段階、
−前記書き込まれたテストデータ列を前記媒体から読み出す段階、
−前記書き込まれたテストデータ列に対し書き込まれたデータの誤り指標を決定する段階、及び
−前記書き込まれたデータの誤り指標に従いデータ書き込み速度を選択する段階、を実行させ、
従って前記媒体にデータを書き込むデータ書き込み速度が最適化される、コンピュータープログラム。
【請求項１８】
コンピュータープログラム要素であって、コンピュータープログラムコード手段を有し、データ書き込み装置又はコンピューターに：
−所定の書き込みパワー及び第１のデータ書き込み速度を使用し、データ媒体へテストデータ列を書き込む段階、
−前記書き込まれたテストデータ列を前記媒体から読み出す段階、
−前記書き込まれたテストデータ列に対し書き込まれたデータの誤り指標を決定する段階、及び
−前記書き込まれたデータの誤り指標に従いデータ書き込み速度を選択する段階、を実行させ、
従って前記媒体にデータを書き込むデータ書き込み速度が最適化される、コンピュータープログラム要素。
【発明の詳細な説明】
【技術分野】
【０００１】
本発明は、テストデータ誤りの発生の監視に基づき、媒体にデータを書き込むためのデータ書き込み速度の決定に関する。
【背景技術】
【０００２】
回転する光ディスク上の半径及び軸方向のトラッキング中、トラッキング誤差が発生し得る。これらトラッキング誤差（又は振れ）は、ディスクの規格に従い、特定の閾値を超えてはならない。
【０００３】
高速記録では、例えば回転角速度一定（ＣＡＶ）１６ｘを用い、１６ｘの高い線速度がディスクの外側で達成される。このような高い書き込み速度において、書き込みマージンは小さく、及びより低い速度において現れるマージンより小さい。ディスクの外側は、従って軸及び半径方向のトラッキング誤差又は振れに、より影響を受けやすい。
【０００４】
重大なトラッキング誤差又は振れは、高い記録速度において発生し得、そして結果として劣悪な書き込み性能を生じ得る。小さい振れは、一般に補正される誤差であるが、より大きい振れは一般に誤差として正しく補正され得ない。特定の大きさより大きい振れは、従って、補正不可能なデータ誤りがディスクで生じたことを意味する。補正不可能なデータ誤りは許容できず、それらは従って回避されなければならない。
【０００５】
特許文献１は、サーボ信号乱れを検出する手段の検出結果を使用することにより、記録速度を最適化するために、記録媒体の所定領域への所定基本線速度における試し書き中のサーボトラッキング誤差信号を測定することを開示する。更に、特許文献１は、サーボトラッキング誤差が特定の閾値を超えた場合、記録速度を減少することを開示する。
【０００６】
当該開示は、従ってサーボトラッキング誤差に基づく。このような指標は、トラッキングの困難さの指標である。如何なる検出されたトラッキング誤差も、書き込みデータの可能なデータ誤りと関連付けることが難しい。いくつかのトラッキング誤差は、データ誤りを増加しない。この理由として、このような指標が、可能なデータ誤りに関し最適でないことがある。
【０００７】
従って、最適化データ書き込み速度の決定処理における改善された指標を提供する必要性がある。
【０００８】
本発明は、可能なデータ誤りの発生に関連する指標を得ることに基づき、媒体にデータを書き込むためのデータ書き込み速度の決定に関する。
【特許文献１】特許第２００３２６３７６７  Ａ号明細書
【発明の開示】
【発明が解決しようとする課題】
【０００９】
本発明の目的は、データ誤り指標に基づくデータ書き込み速度を提供することである。
【課題を解決するための手段】
【００１０】
本発明の第１の態様によると、上記の目的は、所定の書き込みパワーを使用し、媒体へデータを書き込むためのデータ書き込み速度を決定する方法により達成される。前記方法は、テストデータ列を媒体に第１のデータ書き込み速度を使用して書き込む段階、前記書き込まれたテストデータ列を前記媒体から読み出す段階、前記書き込まれたテストデータ列に対し書き込まれたデータの誤り指標を決定する段階、及び前記書き込まれたデータの誤り指標に従いデータ書き込み速度を選択する段階、を有し、従ってデータ書き込み速度が最適化される。
【００１１】
本発明の第２の態様によると、上記の目的は、テストデータ列を媒体に第１のデータ書き込み速度を使用し書き込む段階、前記書き込まれたテストデータ列を前記媒体から読み出す段階、前記書き込まれたテストデータ列に対し書き込まれたデータの誤り指標を決定する段階、前記書き込まれたデータの誤り指標に従いデータ書き込み速度を選択する段階、により決定されたデータ書き込み速度を使用し、従ってデータ書き込み速度が最適化され、そして前記第１の書き込み速度を使用し前記データを書き込む、媒体へデータを書き込む方法により達成される。
【００１２】
本発明の第３の態様によると、上記の目的は、所定の書き込みパワーを使用し、媒体へデータを書き込むためのデータ書き込み速度を決定するデータ書き込み速度決定部により達成される。前記データ書き込み速度決定部は、前記媒体にテストデータ列を書き込むよう配置されたデータ書き込み部、前記書き込まれたテストデータ列を前記媒体から読み出すよう配置されたデータ読み出し部、書き込まれたデータの誤り指標を決定するよう配置された書き込まれたデータの誤り指標決定部、前記書き込まれたデータの誤り指標に従いデータ書き込み速度を選択するよう配置された書き込み速度選択部、前記データ書き込み部と前記データ読み出し部と前記書き込まれたデータの誤り指標決定部と、前記書き込み速度選択部と接続された制御部、を有し、前記制御部は、テストデータ列を前記データ書き込み部に提供し、及び前記テストデータ列を媒体に第１のデータ書き込み速度を使用し書き込む段階と、前記書き込まれたテストデータ列を前記媒体から読み出す段階と、前記書き込まれたテストデータ列に対し書き込まれたデータの誤り指標を決定する段階と、前記書き込まれたデータの誤り指標に従いデータ書き込み速度を選択する段階とを制御し、従ってデータ書き込み速度が最適化される。
【００１３】
本発明の第４の態様によると、上記の目的は、データ書き込み装置により達成される。前記装置は、所定の書き込みパワーを使用し媒体へデータを書き込むためのデータ書き込み速度を決定するデータ書き込み速度決定部を有する。前記データ書き込み速度決定部は、テストデータ列を前記媒体に書き込むよう配置されたデータ書き込み部、前記書き込まれたテストデータ列を前記媒体から読み出すよう配置されたデータ読み出し部、書き込まれたデータの誤り指標を決定するよう配置された書き込まれたデータの誤り指標決定部、前記書き込まれたデータの誤り指標に従いデータ書き込み速度を選択するよう配置された書き込み速度選択部、前記データ書き込み部と前記データ読み出し部と前記書き込まれたデータの誤り指標決定部と前記書き込み速度選択部と接続された制御部、を有する。前記制御部は、テストデータ列を前記データ書き込み部に提供し、及び前記テストデータ列を媒体に第１のデータ書き込み速度を使用し書き込む段階と、前記書き込まれたテストデータ列を前記媒体から読み出す段階と、前記書き込まれたテストデータ列に対し書き込まれたデータの誤り指標を決定する段階と、前記書き込まれたデータの誤り指標に従いデータ書き込み速度を選択する段階とを制御する。前記データ書き込み装置は、データを提供するよう配置されたデータ提供部、データ媒体を保持し前記データ媒体へのデータ書き込みを可能にするよう配置されたデータ媒体駆動部、を更に有し、従って前記データ書き込み速度が最適化される。
【００１４】
本発明の第５の態様によると、上記の目的は、コンピュータープログラムコード手段を有するコンピューター可読媒体を有するコンピュータープログラムにより達成される。前記コンピュータープログラムは、前記コンピュータープログラムコード手段がコンピューター又はデータ書き込み装置内に位置付けられた場合、データコンピューター又はデータ書き込み装置に、所定の書き込みパワー及び第１のデータ書き込み速度を使用しテストデータ列をデータ媒体に書き込む段階、前記書き込まれたテストデータ列を前記媒体から読み出す段階、前記書き込まれたテストデータ列に対し書き込まれたデータの誤り指標を決定する段階、及び前記媒体へデータを書き込む速度が最適化されるよう、前記書き込まれたデータの誤り指標に従いデータ書き込み速度を選択する段階、を実行させ、従って前記データ書き込み速度が最適化される
本発明の第６の態様によると、上記の目的は、コンピュータープログラムコード手段を有するコンピュータープログラム要素により達成される。前記コンピュータープログラム要素は、コンピューター又はデータ書き込み装置に、所定の書き込みパワー及び第１のデータ書き込み速度を使用し、テストデータ列をデータ媒体に書き込む段階、前記書き込まれたテストデータ列を前記媒体から読み出す段階、前記書き込まれたテストデータ列に対し書き込まれたデータの誤り指標を決定する段階、及び前記書き込まれたデータの誤り指標に従いデータ書き込み速度を選択する段階、を実行させ、従って前記媒体にデータを書き込むデータ書き込み速度が最適化される。
【００１５】
データが書き込まれる媒体は、デジタルバーサタイルディスク（ＤＶＤ）であって良い。
【発明の効果】
【００１６】
本発明は以下の利点を有する。
【００１７】
誤りのないデータ書き込みの提供を可能にするためにデータ誤りを監視することが重要なので、データ書き込み速度の決定がデータ誤り指標に基づく、当該データ誤り指標を使用することは、有利である。
【００１８】
独立請求項の対象及び利点は、以下の通りである。
【００１９】
請求項２及び１２は、第２のより低いデータ書き込み速度の選択を対象としている。
【００２０】
これらの請求項は、第２のより低いデータ書き込み速度を選択すると、データ誤り指標が減少するという利点を有する。
【００２１】
請求項５及び６は、それぞれブロック誤りレート及びビット誤りレートの決定を対象としている。
【００２２】
これらは、ブロック誤りレート及びビット誤りレートが可能なデータ誤りの発生と直接関連するので、有利である。
【００２３】
請求項８は、媒体のある部分における第１のデータ書き込み速度、及び前記媒体の別の部分における第２のデータ書き込み速度に関連する速度の使用を対象としている。
【００２４】
第１のデータ書き込み速度が全体に使用され得ない媒体にデータを書き込むために要する時間は、最小化され得るので、有利である。
【００２５】
本発明の要点は、データ誤り指標が許容可能であるデータ書き込み速度を選択することである。
【００２６】
本発明の上述の及び他の態様は、本願明細書に記載される実施例から、及びその説明から明らかである。
【００２７】
本発明は、添付の図面を参照し、より詳細に説明される。
【発明を実施するための最良の形態】
【００２８】
本発明は、従って書き込み性能を直接反映するデータ誤り指標に基づき、媒体にデータを書き込むためのデータ書き込み速度を決定する段階に関する。
【００２９】
光学媒体への高回転速度におけるデータの書き込みは、困難な課題である。
【００３０】
局所的なディスク変動のため、ディスクの高速書き込みは、ディスク駆動装置に高い要求をする。光ディスクのようなデータ媒体に電子データを書き込む際、高いデータ書き込み速度を支援するため、高級のトラッキング性能が要求される。
【００３１】
トラッキング誤差は、半径及び軸方向の両方に存在して良く、及び半径及び軸方向でトラッキング誤差が大きくなり過ぎると、トラッキング誤差は正しく誤差補正されない。この結果、訂正不可能なデータ誤りが生じる。
【００３２】
電子データをデータ媒体に書き込む場合、復旧不可能なデータ誤りは許容され得ないので、このようなデータ誤りの発生は、望ましくはテスト段階で監視される。テスト段階の間、データ媒体に書き込まれたテストデータに関連したデータ誤り指標に基づき、データ書き込み速度が決定される。
【００３３】
望ましくは、書き込み中に生じ得るデータ誤りと直接結合される書き込みパラメータを監視することにより、書き込み速度を監視するために使用される。このような書き込みパラメータの例は、データ媒体に書き込まれたデータと直接結合されるデータ誤り指標である。ビット誤りレート（ＢＥＲ）及びブロック誤りレート（ＢＬＥＲ）は、このようなデータ誤り指標の例である。また以下にこれらデータ誤り指標が、電子データをデータ媒体に書き込むためのデータ書き込み速度を決定する方法においてどのように使用され得るかが記載される。
【００３４】
図１は、データ書き込み装置を図示する。図１を参照し、本発明が説明される。
【００３５】
本発明のある実施例によると、データ書き込み装置１１８は、データ書き込み速度を決定する。前記装置は、データ書き込み速度決定部１００、データ提供部１１６、及びデータ媒体駆動部１１４を有し、データ媒体駆動部１１４でデータ媒体１１２が読み込まれて良い。本発明のある実施例によると、データ媒体１１２はデジタルバーサタイルディスク（ＤＶＤ）であるが、例を挙げるだけでもブルーレイディスク、コンパクトディスク（ＣＤ）、又はミニディスク（ＭＤ）のような如何なる他の種類のディスクであって良い。
【００３６】
データ供給装置１１６は、データインターフェースであり、本発明の好適な実施例によるとデータインターフェースを介し、データ媒体に格納されるべきデータが転送される。しかしながら、データ供給部１１６は、記憶容量、及び従ってデータ媒体１１２に書き込まれるべき電子データ量の少なくとも一部を格納するデータメモリーとしての機能を有して良い。
【００３７】
データ書き込み速度決定部１００は、書き込み速度選択部１０２、データ書き込み部１０６、データ読み出し部１０８、及び書き込まれたデータの誤り指標決定部１１０を有し、これら全ては制御部１０４に接続される。制御部１０４自体は、図１に示されるようにデータ書き込み速度決定部１００に含まれる。
【００３８】
更に、データ書き込み速度決定部１００は、書き込み速度選択部１０２とデータ書き込み部１０６とデータ読み出し部１０８とを経由してデータ媒体駆動部１１４との接続を有する。再び図１に示されるように、書き込み速度選択部１０２とデータ書き込み部１０６とデータ読み出し部１０８の全てはデータ媒体駆動装置１１４と接続される。データ提供部１１６はまた、データ書き込み速度決定部１００と接続される。つまりデータ提供部１１６は、データ書き込み部１０６と接続される。
【００３９】
データ書き込み速度決定部１００とデータ提供部１１６とデータ媒体駆動装置１１４との間の接続は、上述のデータ書き込み速度決定部１００の内部接続と同様に、本発明のある実施例による接続である。当該部分の間の接続が、本発明の別の実施例による異なる方法で確立されて良いことが理解される。
【００４０】
また、本発明の異なる実施例によると、データ媒体駆動部１１４は、上述のような本発明の実施例によると、データ書き込み速度決定部１００内に位置付けられる１つ以上の部分を有して良い。例えば、データ書き込み部１０６及びデータ読み出し部１０８は、データ媒体駆動装置１１４内に含まれて良い。更に、本発明の更に異なる実施例によると、データ書き込み部１０６及びデータ読み出し部１０８は、単一のデータ読み出し／書き込み部に結合されて良い。データ書き込み部１０６は、テストデータ列をデータ媒体１１２の外側領域に書き込むよう配置される。本発明のある好適な実施例によると、テストデータ列は、無作為なテストデータ列である。これは、この種のデータ列が、データ媒体に格納され得る電子データの良い見本であると考えられるので、有利である。
【００４１】
図４及び図５は、それぞれ本発明に関連するデータ媒体の例として光ディスクを示す。これら光ディスク４０及び５０は、それぞれ４２及び５２で示されたような外側領域をそれぞれ有する。これら外側領域は、電子データをディスクに格納する前のテスト段階の間にテストデータが書き込まれるテストデータ領域である。
【００４２】
本発明によると、テストデータ列は、データ読み出し部１０８により読み出され、その後データ読み出し部１０８は読み出したテストデータを制御部１０４へ転送する。制御部１０４は、データ媒体に書き込まれたテストデータ列及びデータ媒体から読み出されたデータテスト列の両方へのアクセスを有する。書き込まれたデータの誤り指標決定部１１０のタスクは、データ媒体１１２に書き込まれたテストデータ列に対し、書き込まれたデータの誤り指標を決定することである。
【００４３】
制御部１０４により、書き込まれたテストデータ列及び読み出されたデータテスト列を、書き込まれたデータの誤り指標決定部１１０へ提供することにより、データ誤り指標は、２つのデータ列を比較することにより決定され得る。
【００４４】
書き込まれたデータの誤り指標決定部１１０により行われた比較に基づき、制御部１０４は、書き込み速度選択部１０２を制御し速度を選択する。この速度情報は、図１に示されるようにデータ媒体駆動部１１４へ転送される。
【００４５】
本発明による、電子データをデータ媒体に書き込むためのデータ書き込み速度を決定する方法は、表１を伴う図２を参照し、以下に詳細に説明される。図２はデータ書き込み速度を決定する方法のフローチャートを示し、及び表１は前記方法のタスクの簡単な説明を示す。
【００４６】
［表１］本発明のある実施例による、データ書き込み速度を決定する方法のタスクの簡単な説明
段階番号    タスクの簡単な説明
２０２      最適パワー制御を実行する。
２０４      最適パワーを使用しデータ列を書き込む。
２０６      書き込まれたデータ列を読み出す。
２０８      データ列を書き込まれたデータ列と比較する。
２１０      ブロック誤りレートＢＬＥＲを得る。
２１２      ＢＬＥＲ≦ＢＬＥＲ＿ｔｈｒｅｓｈｏｌｄか？
２１４      データ書き込み速度を使用する。
２１６      書き込み速度を減少する。
【００４７】
当該方法の第１の段階２０２は、最適パワー制御（ＯＰＣ）を実行する段階である。この段階は、文献から知られており、従って本願明細書で詳細は説明されない。この段階では、続いて生じる電子データのデータ媒体への格納のための最適書き込みパワーが決定される。ＯＰＣは使用され得る各書き込み速度に対し実行されるので、フローチャートは当該ＯＰＣを実行することにより開始する。
【００４８】
当該段階は、データ書き込み装置１１８により、望ましくはデータ書き込み速度決定部１００内の１つ以上の利用可能な部分を使用することにより実行される。
【００４９】
最適化された書き込みパワーを段階２０２において得ているので、段階２０４において、テストデータ列は、第１のデータ書き込み速度を使用して、及び所定の最適化された書き込みパワーを使用することによりデータ媒体１１２へ書き込まれる。当該段階は、制御部１０４の制御の下、データ書き込み部１０６により実行される。
【００５０】
可能な限り速く書き込むという願望のため、この第１のデータ書き込み速度は、１６ｘのような速いＣＡＶ速度であるよう選択される。この第１のデータ書き込み速度はまた、しかしながら、データ書き込み装置１１８の性能及び利用可能なデータ媒体１１２の等級に依存して２０ｘ又は２４ｘであって良い。
【００５１】
このテストデータ列を書き込む段階では、テストデータ列は、可能な最高書き込み速度を使用することにより書き込まれる。書き込み速度は回転角速度一定の速度なので、データ媒体の外側は最高線速度を有する。テストデータ列は、データ媒体のまさに外側に位置付けられたテスト領域３２、４２に書き込まれるので、当該領域への自動的な書き込みの成功は、回転するデータ媒体の中心により近く位置する領域ほど線書き込み速度がより低いので、データ媒体の他の領域又は部分への書き込みもまた成功することを意味する。角速度、線速度及び書き込み位置からディスクの中心までの距離、つまり書き込み位置半径の関係は、以下に更に詳細に説明される。
【００５２】
第１のテストデータ書き込みは、従って高い書き込み速度、望ましくは回転角速度一定（ＣＡＶ）１６ｘの速度を利用して実行される。
【００５３】
本発明のある実施例によると、テストデータ列は、制御部１０４により提供されるが、他の場所からも同様に得られる。
【００５４】
段階２０４において、テストデータ列がデータ媒体１１２に、データ書き込み部１０６により、第１のデータ書き込み速度を利用して書き込まれた後、段階２０６において、書き込まれたテストデータ列をデータ媒体から読み出し部１０８により読み出す段階が実行される。
【００５５】
テストデータ列をデータ媒体に書き込む段階の後に、書き込まれたテストデータ列を読み出す段階が続くのは異様かも知れない。しかしながら、誤りはディスクの欠陥により書き込みの間に生じ得るので、データ媒体から読み出され得るデータは、実際にデータ媒体に書き込まれたデータと異なるかも知れない。また、書き込みマージンはデータ書き込み速度の増加とともに減少するので、高いデータ書き込み速度を選択することは、書き込みマージンが小さいことを意味し、これはまたテストデータ列の書き込み結果に影響し得る。
【００５６】
記載されている方法の次の段階は、段階２０８における、２つのデータ列を、書き込まれたデータの誤り指標決定部１１０により比較する段階である。この部分は、従って、書き込まれたデータのデータ誤りを反映することを目的とするデータ誤り指標を決定するために、２つのデータ列を比較する。当該方法の後続の段階は、段階２１０におけるブロック誤りレート（ＢＬＥＲ）を得る段階である。ＢＬＥＲは、データをデータ媒体に書き込む際に発生し得るデータ誤りに直接関連するデータ誤り指標の一例である。この段階は、２つのテストデータ列へのアクセスを有する、書き込まれたデータの誤り指標決定部１１０により実行される。
【００５７】
本発明の別の実施例によると、得られたデータ誤り指標は、書き込まれたデータのビット誤りレート（ＢＥＲ）である。
【００５８】
２つのデータ誤り指標、つまりブロック誤りレート及びビット誤りレートは、両方とも書き込まれたデータで発生し得る誤りの直接的指標である。前述のように、データで発生する誤りに直接関連した誤り指標は、まさに書き込まれたデータの誤りであり、当該データ誤りの上昇を回避するために検出することが重要であるので、当該指標を使用することは、有利である。
【００５９】
書き込まれたデータのＢＬＥＲを得ているので、本発明のある実施例によると、ＢＬＥＲの値は、ＢＬＥＲがＢＬＥＲ閾値であるＢＬＥＲ＿ｔｈｒｅｓｈｏｌｄより小さい又は等しいか否かを決定する段階である段階２１２において、ＢＬＥＲの閾値と関連する。当該段階は、制御部１０４により実行されて良い。ある代案では、当該段階は、書き込まれたデータの誤り指標決定部１１０により実行される。
【００６０】
ＢＬＥＲがＢＬＥＲ＿ｔｈｒｅｓｈｏｌｄより小さい又は等しいと決定された場合、テストデータ列をデータ媒体の外側に、つまり線速度が最高であるデータ媒体の位置に書き込むために使用された現在の及び第１のデータ書き込み速度は、当該ＣＡＶデータ書き込み速度を使用して当該媒体の如何なる他の部分にデータを書き込むために利用され得る。
【００６１】
比較的小さいＢＬＥＲ値では、データ誤りは回復され得る。一方、より高いＢＬＥＲ値では誤り訂正は、より困難であり成功しないかも知れない。ＢＬＥＲ＿ｔｈｒｅｓｈｏｌｄは、標準的に如何なる回復不可能なデータ誤りも、ＢＬＥＲ値がＢＬＥＲ＿ｔｈｒｅｓｈｏｌｄより低い又は等しい書き込まれたデータに生じないよう設定される。
【００６２】
段階２１２において、ＢＬＥＲがＢＬＥＲ基準を満たすかどうか、つまりＢＬＥＲがＢＬＥＲ＿ｔｈｒｅｓｈｏｌｄより小さい又は等しいか否かを決定した後、段階２１４において、データ書き込み速度を利用する次の段階が続く。テストデータ列のために使用された選択されたデータ書き込み速度は、基準を満たしたので、本発明に関連する光ディスクを示す図４に示されるように、当該ＣＡＶ速度は、電子データをデータ媒体領域全体４４に書き込むために使用され得る。
【００６３】
データ書き込み装置１１８内では、書き込み速度選択部１０２は、別の速度を選択しないが、既に選択されたデータ書き込み速度を後続のデータ記録のために保つ。
【００６４】
しかしながら、段階２１２において、ＢＬＥＲがＢＬＥＲ＿ｔｈｒｅｓｈｏｌｄより小さい又は等しくないと決定された場合、まさにこのデータ書き込み速度、つまり第１のデータ書き込み速度におけるＢＬＥＲは、許容できない。この場合、データ書き込み速度を減少する段階である段階２１６が実行される。このデータ書き込み速度を減少する段階は、制御部１０４の制御の下、書き込み速度選択部１０２により実行される。
【００６５】
このより低い第２のデータ書き込み速度は、従って、データ書き込み速度を決定する方法の新しいループで選択される。つまり新しいループは、光パワー制御（ＯＰＣ）を実行する段階である段階２０２、テストデータ列をデータ媒体に書き込む段階である段階２０４、書き込まれたテストデータ列を読み出す段階である段階２０６、書き込まれたテストデータ列と読み出されたテストデータ列を比較する段階である段階２０８、前記より低い第２のデータ書き込み速度に対し新しいブロック誤りレートＢＬＥＲを得る段階である段階２１０、前記新しいＢＬＥＲがＢＬＥＲ＿ｔｈｒｅｓｈｏｌｄより小さい又は等しいか否かを決定する段階である段階２１２、及び第２のデータ書き込み速度又はデータ書き込み速度を更に減少する段階（段階２１４、２１６）である。
【００６６】
ＣＡＶ１６ｘ速度を使用しているので、回転するデータ媒体の位置の線速度は、データ媒体の中心からデータ媒体の書き込み／読み出し位置までの距離、つまりデータ媒体上の位置の現在の半径に依存する。ＣＡＶ１６ｘ速度では、線速度は、データ媒体の外側において１６ｘであり、及び従ってデータ媒体上の他の位置はより小さい半径を有するので、これら他の位置において線速度はより低い。データ媒体の一例としてＤＶＤディスクの表面形状では、このようなＤＶＤの外側は約５８ｍｍの半径を有し、及び内側は約２２ｍｍの半径を有する。ＣＡＶデータ書き込み速度を使用した場合に角速度が一定であるため、線速度と半径の間の比が一定なので、１６ｘのＣＡＶで回転しているデータ媒体の位置の線速度は、（１）式から得られる。
半径Ｒ［ｍｍ］を有する位置の線速度  ≒  （Ｒ／５８）＊１６ｘ      （１）
ＤＶＤの半径２２ｍｍを有する内側の線速度は、従って約（２２／５８）＊１６ｘであり、約６ｘである。
【００６７】
ＣＡＶ１６ｘの第１のデータ書き込み速度がデータ媒体の外側において利用不可能でるが、テストデータ列の書き込みのための許容できる誤り指標を得るためにＣＡＶ１２ｘのデータ書き込み速度が利用可能である場合に戻ると、電子データを媒体に書き込む方法は、以下に図３を参照して記載される。図３は、本発明のある実施例による、電子データを媒体に書き込む方法のフローチャートを示す。
【００６８】
［表２］本発明のある実施例による、媒体にデータを書き込む方法のタスクの簡単な説明
段階番号    タスクの簡単な説明
３０２      第１のデータ書き込み速度を得る。
３０４      第２のデータ書き込み速度を得る。
３０６      第２のデータ書き込み速度に関連する速度を得る。
３０８      線速度を監視する。
３１０      監視されている線速度＜第２のデータ書き込み速度に関連する速度か？
３１２      第１の速度を使用しデータを書き込む。
３１４      第２の速度に関連する速度を使用しデータを書き込む。
３１６      書き込みを終了する。
【００６９】
複数のデータ書き込み速度を使用するこの方法は、電子データを媒体に書き込むための第１のデータ書き込み速度を得る段階である段階３０２で開始する。この第１のデータ書き込み速度は、ＣＡＶ１６ｘであって良いが、例えばデータ書き込み速度の代案として挙げるとＣＡＶ２０ｘ又はＣＡＶ２４ｘであっても良い。次に、第２のデータ書き込み速度を得る段階である段階３０４が実行される。この第２のデータ書き込み速度は、標準的に第１のデータ書き込み速度より低い。この場合、第１のデータ書き込み速度はＣＡＶ１６ｘの場合、第２のデータ書き込み速度はＣＡＶ１２ｘである。
【００７０】
ここでより低い第２のデータ書き込み速度、この例ではＣＡＶ１２ｘを得ているので、第２のデータ書き込み速度に関連する速度を得る段階である段階３０６が実行される。この例では、この段階は、第２のデータ書き込み速度であるＣＡＶ１２ｘに関連する一定線速度（ＣＬＶ）１２ｘの速度を得る段階を有する。次に、媒体の書き込み／読み出し位置の線速度の監視を開始する段階である段階３０８が実行される。この段階から、媒体の書き込み／読み出し位置の線速度が監視される。後続の段階である段階３１０では、条件「監視されている線速度は、第２のデータ書き込み速度と関連する得られた線速度より小さい」が適合するか否かが決定される。段階３１０で決定されたように、監視されている線速度が、第２のデータ書き込み速度と関連する得られた線速度より小さい場合、第１のデータ書き込み速度を使用して電子データを書き込む段階である段階３１２が実行される。この段階において、電子データは、従ってＣＡＶ１６ｘのデータ書き込み速度を使用して書き込まれる。当該段階、つまり段階３１２は、条件「監視されている線速度は、第２のデータ書き込み速度と関連する得られた線速度より小さい」が適合する限り実行される。回転角速度一定の使用により及び回転する媒体の内側から外側への書き込みにより、監視されている線速度は時間とともに増大する。この条件が適合しなくなると直ぐに、つまり監視されている線速度が第２のデータ書き込み速度に関連する線速度と等しくなると直ぐに、上記の条件は適合しない。この理由から段階３１２はもはや実行されない。もっと正確に言えば、電子データを第２のデータ書き込み速度に関連する線速度を使用して書き込む段階である段階３１４が実行される。第１のデータ書き込み速度の使用と第２のデータ書き込み速度（ＣＡＶ１２ｘ）に関連する線速度（ＣＬＶ１２ｘ）との間の切り替えは、媒体の書き込み／読み出し位置の半径が約（１２ｘ／１６ｘ）・５８ｍｍ、つまり約４４ｍｍに等しい場合に実行される。従って、ＣＡＶ１６ｘのデータ書き込み速度を使用する場合、線速度が１２ｘであるのは、４４ｍｍの半径においてである。ＣＡＶ１２ｘのデータ書き込み速度は、データ媒体の外側におけるテストデータ列の書き込みに使用され成功したので、１２ｘの線速度の使用は成功し得る。電子データは、従って、１２ｘの一定線速度を使用して書き込まれる。
【００７１】
同一の電子データは、従って、第１の部分に電子データを書き込むために使用された速度と異なる速度を使用することにより、媒体の第２の部分に書き込まれる。次に段階３１６が実行され、電子データを第２のデータ書き込み速度に関連する線速度を使用して媒体に書き込む段階を終了する。
【００７２】
再び図５を参照する。図５は、本発明のある実施例に関連する光学媒体５０を示す。ＣＡＶ１６ｘデータ書き込み速度が、データ媒体５０の第１の部分５６で使用される。データ媒体５０の第２の部分５４では、１２ｘの一定線速度（ＣＬＶ）が利用される。この領域５４は、従ってデータ媒体５０の半径４４と５８ｍｍとの間の領域である。データ書き込み／読み出し位置５８もまた表示される。
【００７３】
しかしながら、データ書き込み速度を決定する方法の段階２１２において、ＣＡＶ１２ｘにおいて得られたＢＬＥＲがＢＬＥＲ＿ｔｈｒｅｓｈｏｌｄより大きい又は等しいと決定された場合、次の段階である段階２１６はデータ書き込み速度を更に減少する。このＣＡＶ１２ｘからの減少は、従ってＣＡＶ８ｘであり、ＣＡＶ８ｘにおいて新しいテストデータ列が書き込まれる上述のように、新しいＢＬＥＲ値は得られ、そしてＢＬＥＲ＿ｔｈｒｅｓｈｏｌｄと比較され、使用されたデータ書き込み速度、つまりＣＡＶ８ｘが回復不可能なデータ誤りを発生せずにテストデータ列の書き込みに利用され得るか否かを決定する。そのように得られたＢＬＥＲがＢＬＥＲ＿ｔｈｒｅｓｈｏｌｄより小さい又は等しい場合、第２のデータ書き込み速度ＣＡＶ８ｘが利用される。
【００７４】
電子データを書き込む方法を続けると、この場合、段階３０４において、ＣＡＶ８ｘは第２のデータ書き込み速度であるとして得られる。第２のデータ書き込み速度（ＣＡＶ８ｘ）に関連する速度を得る段階３０６では、ＣＬＶ８ｘが得られる。後続の段階では、上述の場合と同様に、媒体５０の書き込み／読み出し位置５８の線速度の監視を開始する段階である段階３０８が実行される。条件、つまり監視されている線速度が第２のデータ書き込み速度と関連する得られた線速度より小さい、つまりＣＬＶ８ｘより小さい、が適合する限り、電子データは、第１のデータ書き込み速度ＣＡＶ１６ｘを使用して書き込まれる。この条件は、媒体の書き込み／読み出し位置の半径が式（１）に従い、約（８ｘ／１６ｘ）＊５８ｍｍ＝２９ｍｍに達するまで適合する。当該半径において、書き込み位置の線速度は、８ｘの線速度に達する。この場合、ＣＡＶ１６ｘデータ書き込み速度は、従って媒体の半径が約２２ｍｍである内側から、媒体の書き込み位置５８の半径が約２９ｍｍに達するまで、５６として示されるように媒体の第１の部分と定め、使用される。段階３１０で決定されたように、速度条件が適合しなくなると直ぐに、電子データを書き込むという命令がある場合、電子データの書き込みは、媒体５０の第２の部分５４において、ＣＬＶ８ｘが用いられているデータ書き込み線速度を使用することにより実行される。媒体の第２の部分は、この例では、半径２９ｍｍと５８ｍｍとの間の媒体の部分として定められる。
【００７５】
本発明のある代案では、データ書き込み速度を決定する方法の段階２１２からのＢＬＥＲ基準を満たす場合、６ｘより高い如何なるＣＡＶデータ書き込み速度も使用され得ない場合、ＣＬＶ６ｘのデータ書き込み速度が、媒体全体を通じて使用されて良い。
【００７６】
図６は、本発明のある実施例による、コンピュータープログラムコード手段を有するコンピュータープログラムを図示する。コンピュータープログラムに含まれるコンピュータープログラムコード手段が、コンピューター又は場合によりデータ書き込み装置自体に読み込まれた場合、コンピューター又は場合によりデータ書き込み装置自体は、所定の書き込みパワー及び第１のデータ書き込み速度を使用し、データ媒体へテストデータ列を書き込む段階、前記書き込まれたテストデータ列を前記媒体から読み出す段階、前記書き込まれたテストデータ列に対し書き込まれたデータの誤り指標を決定する段階、及び前記書き込まれたデータの誤り指標に従いデータ書き込み速度を選択する段階、を実行し、従って前記媒体にデータを書き込むデータ書き込み速度が最適化される。
【００７７】
このようなコンピュータープログラムの一例は、ＣＤ−ＲＯＭであるが、コンピューターに挿入可能な読み取り可能な如何なる種類のディスク、例えばＤＶＤディスク、ＭＤディスク又は他の種類のコンピュータープログラムもあり得る。また、コンピュータープログラムは、フラッシュメモリー又は揮発性である種類のメモリーのような、持ち運び可能なメモリーであって良い。
【００７８】
更に、本発明によるコンピュータープログラムコード要素は、サーバーから例えばインターネット又は如何なる他の有線又は無線ネットワークを介しダウンロードされて良い。
【００７９】
更に、コンピューターは、標準的に制御部、記憶部及び入力／出力部を有する。   
重視されるべき点は、本発明が多様に変化され得ることである。以下に代案の実施例うち一部を挙げる。これら異なる実施例は、従って非限定的な例である。本発明の範囲は、しかしながら特許請求の範囲によってのみ限定される。
【００８０】
本発明の別の実施例によると、上述以外の他のデータ書き込み速度が使用されて良い。例えば、ＣＡＶ１６ｘがＢＬＥＲ基準を満たさない場合、データ書き込み速度を決定する方法の段階に続き、新しいＢＬＥＲ値がＢＬＥＲ＿ｔｈｒｅｓｈｏｌｄより低い否か等を決定するため、ＣＡＶ１５ｘのデータ書き込み速度が使用され、テストデータ列を媒体に書き込んで良い。
【００８１】
本発明の更に別の実施例によると、データ書き込み速度は、書き込まれたデータのジッターを得る段階、得られたジッター値がジッター閾値より大きいか否かを決定する段階、及び当該決定に従いデータ書き込み速度を選択する段階、に基づき決定される。このデータ誤り指標、つまりジッターは、本発明によるデータ書き込み速度の決定のために、上述のようにＢＬＥＲ又はＢＥＲのような他のデータ誤り指標と良く結合されて良い。
【００８２】
本発明の更に別の実施例によると、ジッターは、第２のデータ誤り指標を決定するために、書き込まれたテストデータ列の中で更に測定されて良い。
【００８３】
以下に留意すべきである。
−「有する」は他の要素、段階、部分などを排除しない。
−単数表記はそれぞれの要素の複数を排除しない。
【００８４】
単一の部分は、請求項に記載された複数の部分の機能を満たして良い。請求項の参照符号は、請求項を制限すると見なされるべきではない。
【００８５】
本発明による、データ書き込み速度を決定する方法、データ書き込み速度決定部、データ書き込み装置、コンピュータープログラム及びコンピュータープログラム要素、及び電子データを媒体に書き込む方法は、以下の一般的利点を有する。
【００８６】
本発明を使用することにより決定されるデータ書き込み速度は、光学媒体に電子データを格納する時に生じる誤りに直接関連するデータ誤り指標が決定され、及び当該指標に基づきデータ書き込み速度が決定されるという意味では、データ誤りの不安がない。
【００８７】
更なる利点は、データ書き込み速度を決定する方法において、第２のより低いデータ書き込み速度を選択すると、データ誤り指標が減少することである。
【００８８】
媒体の第１の部分における第１のデータ書き込み速度及び媒体の別の部分における第２のデータ書き込み速度に関連する速度の使用は、第１のデータ書き込み速度が全体に使用され得ない媒体に電子データを書き込むために要する時間が最小化され得るので、有利である。
【図面の簡単な説明】
【００８９】
【図１】本発明の好適な実施例によるデータ書き込み装置及びデータ書き込み部を図示する。
【図２】本発明の好適な実施例によるデータ書き込み速度を決定する方法のフローチャートを示す。
【図３】本発明のある実施例による、媒体にデータを書き込む方法のフローチャートを示す。
【図４】本発明のある実施例に関連する光学媒体を示す。
【図５】本発明のある実施例に関連する別の光学媒体を示す。
【図６】本発明の好適な実施例による光学媒体を示す。
【図１】
2008518372.tif 000003
【図２】
2008518372.tif 000004
【図３】
2008518372.tif 000005
【図４】
2008518372.tif 000006
【図５】
2008518372.tif 000007
【図６】
2008518372.tif 000008
【国際調査報告】
2008518372.tif 000009
2008518372.tif 000010
2008518372.tif 000011